(57)【要約】【課題】建物の平面視の中央部に階段室が設けられる場合において、階段室周りの部屋の通風効率を向上させることができる。【解決手段】複数の外壁１１Ａ〜１１Ｄのうち北外壁１１Ａに設けられた北側外開口部１２Ａと、南外壁１１Ｂに設けられた南側外開口部１２Ｂと、北側外開口部１２Ａ及び南側外開口部１２Ｂから離間して配置された階段室２と、を備え、階段室２には、北側外開口部１２Ａと南側外開口部１２Ｂとを結ぶ直線上に、互いに対向する北側内開口部２４及び南側内開口部２７が設けられた構成の建物１を提供する。【選択図】図１
2016069933.tif 000002
【特許請求の範囲】
【請求項１】
複数の外壁により囲まれた建物であって、
複数の前記外壁のうち一の第１外壁に設けられた第１外開口部と、
複数の前記外壁のうち前記第１外壁と反対側の第２外壁に設けられた第２外開口部と、
前記第１外開口部及び前記第２外開口部から離間して配置された階段室と、
を備え、
前記階段室には、前記第１外開口部と前記第２外開口部とを結ぶ直線上に、互いに対向する内開口部が設けられていることを特徴とする建物。
【請求項２】
前記内開口部は、前記階段室の踊り場側にも設けられ、
前記踊り場に対向する第３外壁に第３外開口部が設けられていることを特徴とする請求項１に記載の建物。
【請求項３】
互いに対向する前記内開口部は、それぞれ前記階段室の前記内開口部側に設けられる段板を挟んだ上部に配置され、
それら内開口部の下部に収納室が設けられていることを特徴とする請求項１又は２に記載の建物。
【請求項４】
前記階段室の外面には、前記内開口部の外側を覆う飾り格子が設けられていることを特徴とする請求項１乃至３のいずれか１項に記載の建物。
【発明の詳細な説明】
【技術分野】
【０００１】
本発明は、階段室が設けられた建物に関する。
【背景技術】
【０００２】
従来、建物において、下階から上階へ上がる動線プランに有効であるとともに、上階にある各々の部屋への出入りのし易さから建物の平面視の中央側に階段室が配置される場合がある。このような階段室として、例えば特許文献１に記載にされるように、上下階で通風が行われるための通風空間として利用され、かつ通風空間の上方部に透光性を有する採光部を設けたものが知られている。
この場合、下階に通じる通風空間として階段室によって、採光が十分に取れ、しかも下階の部屋に流入する風を階段室から上階の部屋を通過させる通風が可能となっている。
【先行技術文献】
【特許文献】
【０００３】
【特許文献１】特開２００２−１２９７５７号公報
【発明の概要】
【発明が解決しようとする課題】
【０００４】
しかしながら、建物において部屋の中央側に階段室が設けられている場合には、階段室を挟んで一方側の部屋と他方側の部屋とが階段室により空間的に分断されてしまうため、通風性が良好に行われないという問題点があった。
【０００５】
本発明は、上述する問題点に鑑みてなされたもので、建物の平面視の中央部に階段室が設けられる場合において、階段室周りの部屋の通風効率を向上させることができる建物を提供することを目的とする。
【課題を解決するための手段】
【０００６】
上記目的を達成するため、本発明に係る建物は、複数の外壁により囲まれた建物であって、複数の前記外壁のうち一の第１外壁に設けられた第１外開口部と、複数の前記外壁のうち前記第１外壁と反対側の第２外壁に設けられた第２外開口部と、前記第１外開口部及び前記第２外開口部から離間して配置された階段室と、を備え、前記階段室には、前記第１外開口部と前記第２外開口部とを結ぶ直線上に、互いに対向する内開口部が設けられていることを特徴としている。
【０００７】
本発明では、階段室の対向する一対の内開口部、第１外開口部、及び第２外開口部が直線上に配置されている。そのため、外気は、第１外開口部から階段室と第１外壁との間の空間部に導入され、一方の内開口部を通過して階段室に導入されて、他方の内開口部を通過して階段室と第２外壁との間の空間部に導入され、第２外開口部から外部に排出される。よって、外部から導入された空気を建物内で円滑に流通させることができるため、通風性を良好とすることができる。
そのため、階段室周りに設けられる空間（部屋）を効果的に通風させることができ、通風効率を向上させることができる。
【０００８】
さらに、階段室にシースルー階段を用いることで、一対の内開口部同士の間を通過する空気が遮られ難くなるので、建物内を空気がより円滑に流通することができ、階段室におけるシースルー効果を高めることができる。
【０００９】
また、本発明に係る建物は、前記内開口部は、前記階段室の踊り場側にも設けられ、前記踊り場に対向する第３外壁に第３外開口部が設けられていることが好ましい。
【００１０】
この場合、外気は、第３外開口部から階段室と第３外壁との間の空間部に導入され、踊り場側の内開口部を通過して階段室に導入される。さらにその階段室内に導入された外気は、階段室内の空気の流れに準じて、例えば上述したように一方の内開口部から他方の内開口部へ向かう方向へ流れ、他方の内開口部を通過して階段室と第２外壁との間の空間部に導入され、第２外開口部から外部に排出される。あるいは、第３外開口部に対向する外壁にも外開口部が設けられている場合には、踊り場側の内開口部から階段室内に導入された外気を、直線上に通風させて前記第３外開口部に対向する外開口部から外部に排出させることも可能である。
【００１１】
また、本発明に係る建物は、互いに対向する前記内開口部は、それぞれ前記階段室の前記内開口部側に設けられる段板を挟んだ上部に配置され、それら内開口部の下部に収納室が設けられていることが好ましい。
【００１２】
この場合には、階段室周りに空間（部屋）が設けられ、それら部屋が階段室に面する配置となるので、階段室の階段下のスペースに収納室を設けることで、階段下スペースを有効的に利用することができ、収容量を確保することができる効果を奏する。
【００１３】
また、本発明に係る建物は、前記階段室の外面には、前記内開口部の外側を覆う飾り格子が設けられていることが好ましい。
【００１４】
このような構成とすることで、階段室に設けられる内開口部を飾り格子で覆うことができるので、階段室に面する部屋からの階段室の内開口や階段が見え難くなり、意匠性を高めることができる。
【発明の効果】
【００１５】
本発明の建物によれば、建物の平面視の中央部に階段室が設けられる場合において、階段室周りの部屋の通風効率を向上させることができる。
【図面の簡単な説明】
【００１６】
【図１】本発明の実施の形態による建物の１階フロアの構成を示す平面図である。
【図２】図１に示す階段室を北西方向から見た斜視図である。
【図３】図１に示すＡ−Ａ線矢視図で、階段室を北側から見た側面図であって、（ａ）は飾り格子を設けた図、（ｂ）は飾り格子が省略された図である。
【図４】図１に示すＢ−Ｂ線矢視図で、階段室を南側から見た側面図である。
【図５】図４において、南側内開口部に引違い窓を備えた図である。
【図６】図１に示すＣ−Ｃ線矢視図で、階段室を東側から見た側面図である。
【図７】本発明の他の実施の形態による建物の１階フロアの構成を示す平面図である。
【発明を実施するための形態】
【００１７】
以下、本発明の実施の形態による建物について、図面に基づいて説明する。
【００１８】
図１に示すように、本実施の形態による建物１は、複数階からなり、複数（ここでは４面）の外壁１１Ａ〜１１Ｄにより四方が囲まれた平面視で略正方形状の１階フロア１０の平面視の中央部に階段室２が設けられている。ここで、図１〜図６は、それぞれ１階部分を示している。
なお、図１において、紙面の左右方向を南北方向Ｘ、上下方向を東西方向Ｙとし、紙面右側を南、左側を北、紙面上側を東、下側を西とする。
【００１９】
１階フロア１０には、四方を囲う４面の外壁１１Ａ、１１Ｂ、１１Ｃ、１１Ｄのうち北外壁１１Ａ（第１外壁）に北側外開口部１２Ａ（第１外開口部）と、南外壁１１Ｂ（北外壁１１Ａと反対側の外壁、第２外壁）に南側外開口部１２Ｂ（第２外開口部）と、東外壁１１Ｃ（第３外壁）に東側外開口部１２Ｃ（第３外開口部）と、西外壁１１Ｄに西側外開口部１２Ｄと、が設けられている。これら外開口部１２Ａ〜１２Ｄは、開閉可能な窓である。
そして、北側外開口部１２Ａ及び南側外開口部１２Ｂは、引違い窓であって、それぞれ外壁１１Ａ、１１Ｂの上側で同一の高さの位置に配置されている。
【００２０】
階段室２は、１階フロアから２階フロアに繋がる階段であって、平面視で階段室２の東側に踊り場２１が設けられ、１階から２階に向かう際に踊り場２１を介して階段部分が東西方向Ｙに折り返すように配置されている。つまり、階段室２の１階フロアの１階出入口２２が西側外開口部１２Ｄ（西外壁１１Ｄ）に対向するように配置され、１階出入口２２から東に向かって上る第１階段２０Ａとなり、踊り場２１で折り返して西へ向けて２階フロアへ上る第２階段２０Ｂとなっている。階段室２は、建物１の４辺に位置する外壁１１Ａ、１１Ｂ、１１Ｃ、１１Ｄのそれぞれから離間して配置されている。
ここで、階段室２において、北側、南側、東側、西側のそれぞれの壁面を、北側壁面２Ａ、南側壁面２Ｂ、東側壁面２Ｃ、西側壁面２Ｄという。
【００２１】
図２に示すように、西側壁面２Ｄには、１階出入口２２の横には、西向きの開口を開閉する第１開閉扉２３ａを有する第１収納室２３が設けられている。
【００２２】
図１、図２及び図３（ａ）、（ｂ）に示すように、北側壁面２Ａには、階段室２の北側壁面２Ａ側に設けられる段板を挟んだ上側に北側内開口部２４（第１内開口部）が設けられ、同じく段板を挟んだ下側に北向きの開口を開閉する第２開閉扉２５ａを有する第２収納室２５が設けられている。北側内開口部２４は、第２階段２０Ｂの側方に位置しており、北側壁面２Ａを介して居室と階段室２内とが連通している。なお、北側内開口部２４が開口となっているが、例えば引違い窓を設けるようにしても良い。
【００２３】
北側壁面２Ａには、北側内開口部２４と第２収納室２５との外側を覆うように上下方向に延びる飾り格子２６Ａが設けられている。飾り格子２６Ａは、北側壁面２Ａと面一となるように形成されている。また、飾り格子２６Ａは、北側内開口部２４と第２収納室２５との境界で分離されており、分離された下側部分の飾り格子２６Ａが第２開閉扉２５ａの表面に設けられている。このように飾り格子２６Ａを設けることにより、北側内開口部２４と第２収納室２５が居室から見え難くなるように意匠性をもたせた構成となっている。
なお、前述の飾り格子２６Ａは、図３（ｂ）に示すように省略することも可能である。
【００２４】
図１及び図４に示すように、南側壁面２Ｂには、幅方向の略中央部において階段室２の南側壁面２Ｂ側に設けられる段板を挟んだ上側に南側内開口部２７（第２内開口部）が設けられており、南側壁面２Ｂを介して居室と階段室２内とが連通している。
【００２５】
南側内開口部２７と上述した北側内開口部２４とは、平面視で互いに対向して南北方向Ｘに沿って、北側外開口部１２Ａと南側外開口部１２Ｂとを結ぶ直線上に配置されている。
なお、前述の「直線上」とは、北側外開口部１２Ａ、北側内開口部２４、南側内開口部２７、及び南側外開口部１２Ｂがその順で概略、直線的に配列されている状態をいう。すなわち、北側外開口部１２Ａ、北側内開口部２４、南側内開口部２７、及び南側外開口部１２Ｂは、例えば、それぞれの一部が南北方向Ｘに沿う直線に対して交差する程度に上下左右にずれた位置に配置されていてもよい。
【００２６】
南側壁面２Ｂには、南側内開口部２７の外側を覆うように上下方向に延びる飾り格子２６Ｂが設けられている。飾り格子２６Ｂは、南側壁面２Ｂと面一となるように形成されている。このように飾り格子２６Ｂを設けることにより、南側内開口部２７が居室から見え難くなるように意匠性をもたせた構成となっている。なお、この飾り格子２６Ｂは、省略することも可能である。
【００２７】
また、南側内開口部２７として、図５に示すように、南側壁面２Ｂの上側部分に引違い窓からなる開口とすることも可能である。なお、図５では、上下に２つの引違い窓が配置されている。この場合にも南側内開口部２７の外側に南側壁面２Ｂに面一となる飾り格子２６Ｂを設けることで、南側内開口部２７が部屋から見え難くなるように意匠性をもたせた構成とすることができる。
【００２８】
図６に示すように、東側壁面２Ｃには、上側部分に引違い窓からなる東側内開口部２８（第３内開口部）が設けられ、下側に東向きの開口を開閉する第３開閉扉２９ａを有する一対の第３収納室２９が設けられている。東側内開口部２８は、踊り場２１の側方に位置しており、東側壁面２Ｃを介して居室と階段室２内とが連通している。
なお、本実施の形態では、東側壁面２Ｃの東側内開口部２８及び第３収納室２９の部分を覆うように前述の飾り格子を設けていないが、同様の飾り格子を設けるようにしてもよい。
【００２９】
なお、南側内開口部２７及び東側内開口部２８は、引違い窓になっているが、これに限定されず、例えば、ルーバー式などの他の形態の窓であっても良いし、窓ではなく、単なる開口であっても良い。
【００３０】
１階フロア１０には、図１に示すように、階段室２の東側壁面２Ｃと東外壁１１Ｃとの間で北側壁面２Ａに沿う方向に延在する第１内壁１３Ａと、階段室２の南側壁面２Ｂと南外壁１１Ｂとの間で東側壁面２Ｃに沿う方向に延在する第２内壁１３Ｂと、階段室２の西側壁面２Ｄと西外壁１１Ｄとの間で南側壁面２Ｂに沿う方向に延在する第３内壁１３Ｃと、階段室２の北側壁面２Ａと北外壁１１Ａとの間で西側壁面２Ｄに沿う方向に延在する第４内壁１３Ｄと、が設けられている。１階フロアは、４つの内壁１３Ａ〜１３Ｄによって４つの居室に仕切られ、各居室のそれぞれに外開口部１２Ａ〜１２Ｄのうち１つが配置されたプランになっている。
【００３１】
次に、上述した建物の作用について、図面に基づいて詳細に説明する。
本実施の形態では、図１に示すように、階段室２の南北方向Ｘに対向する一対の北側内開口部２４、南側内開口部２７、北側外開口部１２Ａ、及び南側外開口部１２Ｂが直線上に配置されている。そのため、外気は、北側外開口部１２Ａから階段室２と北外壁１１Ａとの間の空間部（符号１０Ａの部屋）に導入され、北側内開口部２４を通過して階段室２に導入されて（矢印Ｅ１方向）、南側内開口部２７を通過して階段室２と南外壁１１Ｂとの間の空間部（符号１０Ｂの部屋）に導入され、南側外開口部１２Ｂから外部に排出される（矢印Ｅ２方向）。よって、外部から導入された空気を建物１内で円滑に流通させることができるため、通風性を良好とすることができる。
【００３２】
また、本実施の形態による建物１では、東側内開口部２８が階段室２の踊り場２１側の東側壁面２Ｃにも設けられている。そのため、外気は、東側外開口部１２Ｃから階段室２と東外壁１１Ｃとの間の空間部（符号１０Ｃの部屋）に導入され、東側内開口部２８を通過して階段室２に導入される（矢印Ｅ３方向）。
さらにその階段室２内に導入された外気は、階段室２内の空気の流れに準じて、例えば上述したように北側内開口部２４から南側内開口部２７へ向かう方向へ流れ、南側内開口部２７を通過して階段室２と南外壁１１Ｂとの間の空間部（符号１０Ｂの部屋）に導入され、南側外開口部１２Ｂから外部に排出される。あるいは、西側外開口部１２Ｄが設けられているので、東側内開口部２８から階段室２内に導入された外気を、１階出入口２２より通過させ東西方向Ｙに沿って直線上に通風させて西側外開口部１２Ｄから外部に排出させることも可能である。
【００３３】
このように、本実施の形態による建物１では、階段室２周りに設けられる空間（部屋）を効果的に通風させることができ、通風効率を向上させることができる。
【００３４】
さらに、階段室２にシースルー階段を用いることで、南北方向Ｘに配置される一対の北側内開口部２４と南側内開口部２７同士の間を通過する空気が遮られ難くなるので、建物１内を空気がより円滑に流通することができ、階段室２におけるシースルー効果を高めることができる。
【００３５】
また、本実施の形態では、北側外開口部１２Ａ、南側外開口部１２Ｂ、及び対向する北側内開口部２４、南側内開口部２７がそれぞれほぼ同じ高さの位置に設けられているので、北側外開口部１２Ａから建物１内に導入された外気を同じ高さで円滑に一対の内開口部２４、２７を介して階段室２を通過させることができる。つまり、流通する空気に乱流が生じ難くなり、所望の通風効率を確保することができる。
ここで、直線上に配置される北側外開口部１２Ａ、南側外開口部１２Ｂ、及び対向する北側内開口部２４、南側内開口部２７における「ほぼ同じ高さ」とは、例えばそれぞれの開口の上端の高さが同じ場合、それぞれの開口の中心が同じ高さとなる場合、あるいは所定の高さ位置をそれぞれの開口の一部が含む場合などをいう。なお、これら直線上に配置される開口部は、ほぼ同じ高さであることに限定されることはなく、上下方向にずれていてもかまわない。
【００３６】
また、本実施の形態では、図３（ａ）、（ｂ）及び図６に示すように、北側内開口部２４及び東側内開口部２８の下部に、それぞれ第２収納室２５、第３収納室２９が設けられている。そのため、階段室２周りに空間（部屋）が階段室２に面する配置となるので、階段室２の階段下のスペースに前記収納室２５、２９を設けることで、階段下スペースを有効的に利用することができ、収容量を確保することができる。
【００３７】
また、本実施の形態では、図３（ａ）、図４及び図５に示すように、階段室２に設けられる北側内開口部２４、第２収納室２５、及び南側内開口部２７を飾り格子２６Ａ，２６Ｂで覆うことができるので、階段室２に面する部屋から階段室２の内開口部２４、２７、収納室２５、あるいは階段２０Ａ、２０Ｂが見え難くなり、意匠性を高めることができる。
さらに、南側内開口部２７や東側内開口部２８は開閉可能な引違い窓であるので、その開閉量を調整することで、通過する空気の量を所望の量に調整することが可能である。
【００３８】
上述のように本実施の形態による建物では、建物１の平面視の中央部に階段室２が設けられる場合において、階段室２周りの部屋の通風効率を向上させることができる。
【００３９】
以上、本発明による建物の実施の形態について説明したが、本発明は上記の実施の形態に限定されるものではなく、その趣旨を逸脱しない範囲で適宜変更可能である。
【００４０】
例えば、本実施の形態では、階段室２が１階フロア１０のうち南北方向Ｘ及び東西方向Ｙの中央に配置されているが、この位置に制限されることはない。例えば、図７に示すように、南北方向Ｘ及び東西方向Ｙのいずれかの方向で中央でない位置とすることも可能である。図７に示す建物１Ａでは、階段室２が南北方向Ｘの中央で、東西方向Ｙで東外壁１１Ｃに接続した配置となっている。つまり、東側外開口部１２Ｃが東側内開口部を兼ねている。この場合、東側壁面２Ｃにおける階段室２の踊り場２１下の第３収納室は、建物１の外側から開閉する構成となる。
【００４１】
また、本実施の形態では、階段下に設けられる収納可能な第２収納室２５、第３収納室２９としていわゆる物入れを対象としているが、これに限定されることはなく、例えばリビングボードの収容部や、飾り棚、手洗い等に使用することができる。また、階段室２に設けられる第２収納室２５、第３収納室２９は、省略することも可能である。
また、階段室２に設けられる東側内開口部２８は、適宜省略することも可能である。
【００４２】
さらに、階段室２の北側壁面２Ａと南側壁面２Ｂに飾り格子２６Ａ、２６Ｂを設けているが、これを省略することも可能であるし、縦方向（上下方向）に沿って延びる格子形状に限らず、横方向や斜め方向、あるいは他の形状の飾り格子を適用するようにしてもよい。
【００４３】
さらにまた、本実施の形態では、階段室２周りに複数（４つ）の内壁１３Ａ〜１３Ｄで仕切って複数の部屋を構成しているが、内壁の位置、部屋数、部屋の広さ等、建物１の形状、プランニングに合わせて適宜設定することができる。
そして、本実施の形態では、階段室２が設けられるフロア対象として、１階フロア１０を対象としているが、例えば２階フロア、あるいは３階フロアといった他のフロアを対象とすることも可能である。
【００４４】
また、階段室２を構成する四方の壁面２Ａ、２Ｂ、２Ｃ、２Ｄは、それぞれユニット化させておくことも可能である。つまり、内開口部や収納室の開口や扉部分、さらには飾り格子を取り付けたユニット壁面として予め製作しておくことで、施工現場での組み立て作業の効率化を図ることができる。複数の壁面形状パターンのユニットを用意しておくことで、間取りに合わせて選定することができる。
【００４５】
その他、本発明の趣旨を逸脱しない範囲で、上記した実施の形態における構成要素を周知の構成要素に置き換えることは適宜可能である。
【符号の説明】
【００４６】
１、１Ａ  建物
２  階段室
２Ａ〜２Ｄ  壁面
１０  １階フロア
１１Ａ  北外壁（第１外壁）
１１Ｂ  南外壁（第２外壁）
１１Ｃ  東外壁（第３外壁）
１１Ｄ  西外壁
１２Ａ  北側外開口部（第１外開口部）
１２Ｂ  南側外開口部（第２外開口部）
１２Ｃ  東側外開口部
１２Ｄ  西側外開口部
１３Ａ〜１３Ｄ  内壁
２１  踊り場
２３  第１収納室
２４  北側内開口部（第１内開口部）
２７  南側内開口部（第２内開口部）
２８  東側内開口部（第３内開口部）
Ｘ  南北方向
Ｙ  東西方向
【図１】
2016069933.tif 000003
【図２】
2016069933.tif 000004
【図３】
2016069933.tif 000005
【図４】
2016069933.tif 000006
【図５】
2016069933.tif 000007
【図６】
2016069933.tif 000008
【図７】
2016069933.tif 000009